(57)【特許請求の範囲】
【請求項１】
用紙を載置するための主表面と、前記主表面とほぼ直交して位置し、用紙の端部が接触する基準面とを有する用紙載置部と、
前記用紙載置部にスライド可能に取り付けられて、前記基準面に用紙を押し付けることによって用紙を位置決めする用紙押えガイドと、
前記用紙載置部の上端側に取り付けられて、前記用紙載置部の上端と用紙とが接触するように用紙を支持するペーパーレストとを備え、
前記用紙押えガイドは、用紙に接触する傾斜面を含み、前記傾斜面は、前記主表面から前記用紙載置部側へと延びており、
前記用紙押えガイドをスライドさせた場合に前記傾斜面が用紙に接触して用紙を押し上げることにより、用紙は前記主表面から離れる方向に力が加えられ、
前記用紙押えガイドは、前記主表面の上端に係止され、前記用紙押えガイドを前記用紙載置部にスライド可能に取り付けるＬ字状の係止部を含み、
前記傾斜面は、前記用紙載置部の上端に位置し、かつ、前記係止部に形成されており、
前記ペーパーレストは、用紙が支持される前記ペーパーレストの表面が、前記主表面よりも奥側に位置するように設けられている、インクジェットプリンタ。
【請求項２】
用紙を載置するための主表面を有する用紙載置部と、
前記用紙載置部にスライド可能に取り付けられて、用紙を位置決めする用紙押えガイドと、
前記用紙載置部の上端側に取り付けられて、前記用紙載置部の上端と用紙とが接触するように用紙を支持するペーパーレストとを備え、
前記用紙押えガイドは、用紙に接触する傾斜面を含み、前記傾斜面は、前記主表面から前記用紙載置部側へと延びており、
前記用紙押えガイドをスライドさせた場合に前記傾斜面が用紙に接触して用紙を押し上げることにより、用紙は前記主表面から離れる方向に力が加えられ、
前記用紙押えガイドは、前記主表面の上端に係止され、前記用紙押えガイドを前記用紙載置部にスライド可能に取り付けるＬ字状の係止部を含み、
前記傾斜面は、前記用紙載置部の上端に位置し、かつ、前記係止部に形成されており、
前記ペーパーレストは、用紙が支持される前記ペーパーレストの表面が、前記主表面よりも奥側に位置するように設けられている、給紙装置。
【請求項３】
前記用紙載置部は、前記主表面とほぼ直交して位置し、用紙の端部が接触する基準面をさらに有し、前記用紙押えガイドは、前記基準面に用紙を押し付けることによって用紙を位置決めする、請求項２に記載の給紙装置。
【発明の詳細な説明】
【０００１】
【発明の属する技術分野】
この発明は、一般的には、給紙装置およびインクジェットプリンタに関し、より特定的には、用紙を紙幅方向に揃えて位置決めするためのガイドを備える給紙装置およびインクジェットプリンタに関する。
【０００２】
【従来の技術】
複写機およびプリンタなどは、印刷を行なおうとしている用紙を所定位置に供給するための給紙装置を備える。これらの機器によって扱われる用紙サイズは種々である。このため、給紙装置には用紙を供給する方向に垂直の方向（以下、紙幅方向とも呼ぶ）に用紙を揃えて位置決めすることを目的とするガイドが設けられる。このようなガイドを備える給紙装置が、特開平１１−３２２０８７号公報に開示されている（特許文献１）。
【０００３】
図８は、特許文献１に開示されている給紙装置を示す斜視図である。図８を参照して、給紙装置１００は、用紙が載置される用紙載置台１０１と、用紙載置台１０１上に載置された用紙の紙幅方向を規制する一対のサイドガイド１０２とを備える。一対のサイドガイド１０２は、用紙載置台１０１に形成された長孔１０３に案内されて、矢印１１０に示す方向にスライド移動可能なように設けられている。
【０００４】
続いて、給紙装置１００に用紙をセットする手順について簡単に説明する。給紙装置１００を備えるプリンタなどで処理を行なおうとしている所定大きさの用紙、例えばＡ４サイズの用紙を用紙載置台１０１の載置面１０１ａ上に載置する。この際、一対のサイドガイド１０２は、互いが十分に距離を隔てて位置するように位置決めしておく。これにより、用紙が紙幅方向においてサイドガイド１０２に干渉することなく、用紙を載置面１０１ａ上に載置することができる。
【０００５】
一対のサイドガイド１０２を互いの距離が小さくなる方向に移動させる。このとき、用紙の両端部が用紙載置台１０１の載置面１０１ａから一対のサイドガイド１０２の載置面１０２ｂにへと乗り上がる。その後、用紙の両縁部分が完全に一対のサイドガイド１０２の載置面１０２ｂ上に載置され、用紙は一対のサイドガイド１０２によって紙幅方向に規制された状態となる。
【０００６】
【特許文献１】
特開平１１−３２２０８７号公報
【０００７】
【特許文献２】
実開昭６２−１４７６２８号公報
【０００８】
【発明が解決しようとする課題】
このように用紙はまず用紙載置台１０１の載置面１０１ａ上に載置される。そしてその後、一対のサイドガイド１０２を移動させるに従って用紙は一対のサイドガイド１０２の載置面１０２ｂ上へと乗り上がり所定位置に位置決めされる。
【０００９】
しかし、一対のサイドガイド１０２は、載置面１０２ｂから用紙載置台１０１の載置面１０１ａの方向へ向かって延びる側面１０２ａを有する。この側面１０２ａは、用紙載置台１０１の載置面１０１ａとほぼ直交するように形成されている。このため、用紙を位置決めするため一対のサイドガイド１０２を移動させると、用紙の端部が側面１０２ａに当接し用紙が円滑に一対のサイドガイド１０２の載置面１０２ｂ上に乗り上がらないという問題が発生する。
【００１０】
特に、紙厚が比較的厚いはがきなどを給紙装置１００にセットする場合、複数枚のはがきの両端部が一対のサイドガイド１０２の側面１０２ａに挟持された状態となり、それ以上一対のサイドガイド１０２を移動させることができなくなる。また、紙厚が比較的薄い用紙をセットする場合であっても、用紙の両端部が側面１０２ａに当接した状態から無理に力を加えて一対のサイドガイド１０２を移動させようとすると、用紙に折り目がついたりするおそれがある。
【００１１】
また、用紙の両端部と一対のサイドガイド１０２の側面１０２ａとの当接を避けるため、一旦用紙を用紙載置台１０１の載置面１０１ａ上から持ち上げて一対のサイドガイド１０２を移動させるという方法が考えられる。しかしこの方法では、ユーザーが用紙をセットする際の負担が増大するという問題が発生する。加えて、用紙をセットした状態で各用紙の間に隙間ができやすくなり、給紙装置１００の紙送りに悪影響を与えるという問題が発生する。
【００１２】
また、用紙を用紙載置台１０１の載置面１０１ａに載置する前に、一対のサイドガイド１０２を用紙サイズにあった所定位置に移動させておくという方法も考えられる。しかしこの方法では、用紙を一対のサイドガイド１０２の間に投入しづらくなり使い勝手が悪くなるという問題が発生する。
【００１３】
そこでこの発明の目的は、上記の課題を解決することであり、用紙をその紙幅にあった所定の位置に容易にセットすることができる給紙装置およびインクジェットプリンタを提供することである。
【００１４】
【課題を解決するための手段】
この発明に従ったインクジェットプリンタは、用紙を載置するための主表面と、主表面とほぼ直交して位置し、用紙の端部が接触する基準面とを有する用紙載置部と、用紙載置部にスライド可能に取り付けられて、基準面に用紙を押し付けることによって用紙を位置決めする用紙押えガイドと、用紙載置部の上端側に取り付けられて、用紙載置部の上端と用紙とが接触するように用紙を支持するペーパーレストとを備える。用紙押えガイドは、用紙に接触する傾斜面を含み、傾斜面は、主表面から用紙載置部側へと延びている。用紙押えガイドをスライドさせた場合に傾斜面が用紙に接触して用紙を押し上げることにより、用紙は主表面から離れる方向に力が加えられる。用紙押えガイドは、主表面の上端に係止され、用紙押えガイドを用紙載置部にスライド可能に取り付けるＬ字状の係止部を含む。傾斜面は、用紙載置部の上端に位置し、かつ、係止部に形成されている。ペーパーレストは、用紙が支持されるペーパーレストの表面が、主表面よりも奥側に位置するように設けられている。
【００１５】
このように構成されたインクジェットプリンタによれば、用紙押えガイドを所定方向にスライドさせることによって用紙載置部の主表面に載置された用紙を、インクジェットプリンタ内に用紙を供給する方向に垂直方向（以下、紙幅方向とも呼ぶ。）に揃えて位置決めすることができる。この際、まず用紙は用紙押えガイドに設けられた傾斜面によってその端部が押し上げられる。傾斜面は主表面からさらに用紙載置部側へと延びて形成されているため、用紙は主表面と傾斜面との隙間に入り込むことなくスムーズに傾斜面に乗り上がる。その後、傾斜面と接触する用紙には傾斜面と直交する方向に向けて力が加わり、その力の分力が主表面から離れる方向に向けて用紙に作用する。これにより、用紙押えガイドのスライド移動に伴って用紙載置部に載置された用紙は主表面から離れ、やがて用紙押えガイド上の所定位置へと移動する。最後に、用紙は用紙載置部の基準面と用紙押えガイドとによって両端部が挟持された状態となり位置決めされる。用紙載置部の基準面および用紙押えガイドは、用紙の紙幅方向の両端部を支持するガイドとしての役割を果たし、用紙はインクジェットプリンタ内へ所定の姿勢を保ったまま供給される。したがって、本発明によれば用紙を用紙サイズにあった適切な位置に容易に位置決めすることができる。
【００１６】
また、インクジェットプリンタは用紙載置部の上端側にペーパーレストを備える。ペーパーレストは用紙載置部の上端と用紙とが接触するように用紙を支持するため、用紙載置部上で用紙は主表面に接触するように載置される。このため、用紙がインクジェットプリンタ内へ供給される供給口に対して、用紙は所定の角度で位置決めされる。これにより、インクジェットプリンタ内に向けて行なう給紙作業を円滑に行なうことができる。
【００１７】
この発明に従った給紙装置は、用紙を載置するための主表面を有する用紙載置部と、用紙載置部にスライド可能に取り付けられて、用紙を位置決めする用紙押えガイドと、用紙載置部の上端側に取り付けられて、用紙載置部の上端と用紙とが接触するように用紙を支持するペーパーレストとを備える。用紙押えガイドは、用紙に接触する傾斜面を含み、傾斜面は、主表面から用紙載置部側へと延びている。用紙押えガイドをスライドさせた場合に傾斜面が用紙に接触して用紙を押し上げることにより、用紙は主表面から離れる方向に力が加えられる。用紙押えガイドは、主表面の上端に係止され、用紙押えガイドを用紙載置部にスライド可能に取り付けるＬ字状の係止部を含む。傾斜面は、用紙載置部の上端に位置し、かつ、係止部に形成されている。ペーパーレストは、用紙が支持されるペーパーレストの表面が、主表面よりも奥側に位置するように設けられている。
【００１８】
このように構成された給紙装置によれば、用紙押えガイドを所定方向にスライドさせることによって用紙載置部の主表面に載置された用紙を紙幅方向に位置決めすることができる。この際、まず用紙は用紙押えガイドに設けられた傾斜面によってその端部が押し上げられる。傾斜面は主表面からさらに用紙載置部側へと延びて形成されているため、用紙は主表面と傾斜面との隙間に入り込むことなくスムーズに傾斜面に乗り上がる。その後、傾斜面と接触する用紙には傾斜面と直交する方向に向けて力が加わり、その力の分力が主表面から離れる方向に向けて用紙に作用する。これにより、用紙押えガイドのスライド移動に伴って用紙載置部に載置された用紙は主表面から離れ、やがて用紙押えガイド上の所定位置へと移動する。そして、用紙は用紙押えガイドによって所定位置に位置決めされる。したがって、本発明によれば用紙を用紙サイズにあった適切な位置に容易に位置決めすることができる。
また、給紙装置は、用紙載置部の上端側に取り付けられて、用紙載置部の上端と用紙とが接触するように用紙を支持するペーパーレストをさらに備える。このように構成された給紙装置によれば、ペーパーレストは用紙載置部の上端と用紙とが接触するように用紙を支持するため、用紙載置部上で用紙は主表面に接触するように載置される。これにより、本発明による給紙装置が接続されたプリンタなどの機器に向けて円滑な給紙作業を行なうことができる。
【００１９】
傾斜面は、傾斜面と主表面とが交差する角度が３０°以上６０°以下となるように形成されることが好ましく、特に４５°となるように形成されることが好ましい。傾斜面と主表面とが交差する角度が６０°を超える場合、傾斜面に直交する方向に加わる力の主表面から離れる方向へ向かう分力は相対的に小さくなり、反対に主表面と水平方向へ向かう分力は相対的に大きくなる。このため、用紙が主表面から離れる方向へ押し上げられる工程が円滑に行なわれなくなるおそれが生じる。また、相対的に大きくなった主表面と水平方向へ加わる分力によって、用紙に折り目がつくなどのおそれが生じる。また、傾斜面と主表面とが交差する角度が３０°より小さい場合、傾斜面を主表面から用紙載置部側へと形成しようとすると、傾斜面が延在する距離は大きくなる。このため、インクジェットプリンタの出荷後の輸送中に傾斜面を有する突出部分が破損したり、傾斜面を有する突出部分と用紙載置部との接触する面積が大きくなり、用紙押えガイドの摺動抵抗が増大するという問題が発生する。傾斜面と主表面とが交差する角度を４５°とすることによって、上述の弊害をバランス良く取り除くことができる。
【００２０】
また好ましくは、用紙載置部は、主表面とほぼ直交して位置し、用紙の端部が接触する基準面をさらに有する。用紙押えガイドは、基準面に用紙を押し付けることによって用紙を位置決めする。このように構成された給紙装置によれば、用紙押えガイドによって用紙が押し付けられる不動の基準面を設けているため、用紙を片側合わせで位置決めすることができる。インクジェットプリンタでは、紙幅方向の一端に位置するホームポジションからインクカートリッジが紙幅方向に往復運動し、その往復運動と同時にインクを噴出して用紙に印刷を行なう。このため、インクカートリッジが移動する距離をできるだけ短く設定できるように用紙を位置決めできれば、印刷速度などの点で有利である。このように、本発明による給紙装置を適用する機器によっては、基準面を設けた方が好ましい場合がある。
【００２２】
【発明の実施の形態】
この発明の実施の形態について、図面を参照して説明する。
【００２３】
（実施の形態１）
図１は、この発明の実施の形態１におけるインクジェットプリンタを示す斜視図である。図１を参照して、インクジェットプリンタ１は、筐体４と、筐体４の内部に設けられた側壁５とを備える。側壁５は、用紙に印刷を行なうために設けられた印刷部３と、印刷部３に用紙を供給するために設けられた給紙部２とを分離するように設けられている。給紙部２に位置する筐体４の側面は、用紙載置部６を構成している。用紙載置部６は、用紙１１が載置される主表面９と、主表面９に直交して形成された基準面７とを有する。用紙載置部６には、主表面９上において用紙１１が印刷部３に給紙される方向に対して垂直方向である矢印１８に示す方向（以下、紙幅方向とも呼ぶ。）にスライド移動できる用紙押えガイド８が設けられている。
【００２４】
用紙載置部６の上端部６ａ側には、用紙１１を背面側から支持するためのペーパーレスト１０が設けられている。給紙部２に位置して筐体４内の下方には、図示しないモータにギヤを介して接続された給紙ローラー１２が設けられている。給紙ローラー１２は、図示しないスプリングおよびギヤによる力によって、回転するローラー面が用紙載置部６に載置された用紙１１の表面に押し当てられるように設けられている。
【００２５】
側壁５の下方には、用紙１１が給紙部２から印刷部３に搬送される際に通過する用紙供給口１３が形成されている。印刷部３には、両端が支持され、紙幅方向に延びて形成されたシャフト１４が設けられている。シャフト１４上を往復運動可能なインクカートリッジ１５ａおよび１５ｂが設けられている。
【００２６】
続いて、インクジェットプリンタ１を用いて用紙に印刷を行なう手順について簡単に説明する。まず、基準面７との距離が十分にとれた位置に用紙押えガイド８を移動させる。用紙載置部６の主表面９上であって基準面７と用紙押えガイド８との間に位置するように用紙１１を載置する。用紙押えガイド８を移動させて用紙押えガイド８と基準面７とによって用紙１１の両端を挟持し、用紙１１を紙幅方向に位置決めする。図示しないモーターを稼働させることによって給紙ローラー１２を回転させる。これにより、用紙１１のうち最も手前側に位置する用紙が用紙供給口１３を介して印刷部３へと搬送される。用紙が印刷部３へ搬送される工程と同時にインクカートリッジ１５ａおよび１５ｂを紙幅方向に往復運動させて用紙に印刷を行なう。
【００２７】
図２は、図１中の用紙押えガイドを詳細に示す斜視図である。図２を参照して、用紙押えガイド８は、用紙押えガイド８が用紙載置部６に取り付けられた状態で用紙載置部６の主表面９に対して平行に位置する載置面８ａと、載置面８ａに直交する用紙押え面８ｂとを有する。載置面８ａの上端側にはＬ字状に延びる係止部８ｃが形成されている。係止部８ｃが用紙載置部６の上端部６ａに係止されることによって、用紙押えガイド８が用紙載置部６にスライド移動可能に取り付けられている。用紙押え面８ｂに接続されてストッパー解除つまみ２４が設けられている。
【００２８】
用紙押えガイド８を矢印２３に示す方向に移動させることによって、用紙１１の端部は用紙押えガイド８の用紙押え面８ｂに当接する。これにより、用紙１１は用紙押え面８ｂと図１中に示す基準面７との間で両端が挟持された状態となり、用紙１１は用紙サイズにあった所定位置に位置決めされる。
【００２９】
図１中に示す基準面７に面する係止部８ｃの側面には、用紙載置部６の上端部６ａ上に位置して、載置面８ａから主表面９を超え用紙載置部６の板厚の中程にまで達する傾斜面２２が形成されている。傾斜面２２は、載置面８ａから主表面９に向かって延びる用紙押えガイド８の側面よりも突出して形成されている。傾斜面２２は、傾斜面２２と主表面９とが交差する角度が４５°となるように形成されている。
【００３０】
図３および図４は、図２中の矢印ＩＩＩに示す方向から見た用紙載置部および用紙押えガイドを示す上面図である。図３および図４を用いて、用紙１１が用紙押えガイド８によって位置決めされる工程について説明する。
【００３１】
図３を参照して、複数の用紙１１が用紙押えガイド８と接触しない位置で用紙載置部６の主表面９上に載置されている。用紙押えガイド８を矢印４１に示す方向に移動させる。用紙押えガイド８の移動に伴って、まず用紙１１のうち最も主表面９側に位置する用紙の端部が用紙押えガイド８の傾斜面２２に接触する。傾斜面２２は、主表面９よりもさらに用紙載置部６側にまで延びて形成されているため、主表面９側に位置する用紙が主表面９と用紙押えガイド８との隙間に入り込むことがない。このため、用紙１１は傾斜面２２に滑らかに乗り上がる。
【００３２】
図４を参照して、用紙１１は、傾斜面２２上で傾斜面２２に対して垂直方向の矢印４３に示す方向に力を受ける。このとき用紙１１には、主表面９に対して垂直方向の矢印４４に示す方向の力が、矢印４３に示す方向の力の分力として作用する。これにより、用紙１１は主表面９から離れる方向に力を受けて、主表面９から傾斜面２２を介して載置面８ａへとスムーズに押し上げられる。
【００３３】
図５は、図２中のＶ−Ｖ線上に沿った断面図である。図５を参照して、用紙載置部６の主表面９上には、のこぎり刃形状の凹部２１が形成された領域が紙幅方向に帯状に延びている。凹部２１は、のこぎり刃形状の垂直の部分２１ａと斜めの部分２１ｂとによって構成されており、垂直の部分２１ａが図１中に示す基準面７に面するように形成されている。用紙押えガイド８において主表面９に面する側には、凹部２１に嵌め合わされる形状を有する凸部３３が形成されている。
【００３４】
用紙載置部６の凹部２１と用紙押えガイド８の凸部３３とが嵌め合わされた状態では、凸部３３が凹部２１の垂直の部分２１ａに当接することによって、凸部３３はストッパーとしての役割を果たす。このため、用紙押えガイド８を矢印３４に示す方向に移動させることはできるが、矢印３４に示す方向と反対方向に移動させることはできない。これにより、基準面７と用紙押え面８ｂとの間で位置決めされた用紙の状態を確実に維持することができる。
【００３５】
用紙押えガイド８を矢印３４に示す方向と反対方向に移動させる場合には、用紙押えガイド８に設けられたストッパー解除つまみ２４ａおよび２４ｂをつまみ、ストッパー解除つまみ２４ａを矢印３１に示す方向に変位させる。これにより、凸部３３が矢印３２に示す方向に変位し凹部２１から抜け、凸部３３によるストッパーが解除される。
【００３６】
図６は、図１中のＶＩ線上に沿った断面図である。図６を参照して、用紙載置部６の上端部６ａの上方に位置してペーパーレスト１０が設けられている。ペーパーレスト１０は、ペーパーレスト１０の主表面１０ａが用紙載置部６の主表面９よりも奥側に位置するように設けられている。用紙１１を用紙載置部６に載置すると、用紙載置部６の上端部６ａと用紙１１とが接触し、かつ用紙１１の上方がペーパーレスト１０の主表面１０ａによって支持される。このため、用紙１１が用紙載置部６の主表面９上で浮いた状態で位置決めされたり、用紙１１の上方が用紙載置部６の主表面９の反対側へ倒れたりすることを防止できる。これにより、用紙１１は、用紙載置部６の主表面９上で所定の姿勢を維持したまま位置決めされ給紙作業が行なわれる。
【００３７】
この発明の実施の形態１に従ったインクジェットプリンタ１は、用紙１１を載置するための主表面９と、主表面９とほぼ直交して位置し、用紙１１の端部が接触する基準面７とを有する用紙載置部６と、用紙載置部６にスライド可能に取り付けられて、基準面７に用紙１１を押し付けることによって用紙１１を位置決めする用紙押えガイド８と、用紙載置部６の上端部６ａ側に取り付けられて、用紙載置部６の上端部６ａと用紙１１とが接触するように用紙１１を支持するペーパーレスト１０とを備える。用紙押えガイド８は、用紙載置部６の上端部６ａに位置して用紙１１に接触する傾斜面２２を含み、傾斜面２２は、主表面９から用紙載置部６側へと延びている。用紙押えガイド８をスライドさせた場合に傾斜面２２が用紙１１に接触して用紙１１を押し上げることにより、用紙１１は主表面９から離れる方向に力が加えられる。
【００３８】
このように構成されたインクジェットプリンタ１および給紙装置としての給紙部２によれば、用紙押えガイド８に形成された傾斜面２２は、用紙１１が用紙載置部６の主表面９から用紙押えガイド８の載置面８ａに乗り上がる際の案内面としての役割を果たす。このため、用紙１１の端部が主表面９上に位置する用紙押えガイド８の側面に当接して、用紙押えガイド８をそれ以上スライド移動させることができないということがない。また、用紙１１の紙幅方向に無理な力が加わって折り目が入ったりすることがない。これにより、主表面９上の用紙１１を適切な位置に位置決めすることを容易にできる。また、ユーザーが用紙の端部を揃えず複数の用紙１１を主表面９上に投入したとしてもこのような位置決めは実現される。このため、用紙１１を主表面９上に載置する際のユーザーの負担を軽減させることができる。さらに、インクジェットプリンタ１は所定形状を有するペーパーレスト１０を備えるため、印刷部３に向けて円滑な給紙作業を行なうことができる。
【００３９】
（実施の形態２）
図７は、この発明の実施の形態２における用紙押えガイドを詳細に示す斜視図である。図７を参照して、実施の形態２における用紙押えガイド８は、実施の形態１における用紙押えガイド８と比較して傾斜面が形成されている位置のみが異なる。用紙載置部６の主表面９には、帯状に延在する凹部２１が形成された領域と並列して溝部５３が形成されている。用紙押えガイド８には、載置面８ａの中心付近から延在し主表面９を超え用紙載置部６の板厚の中程にまで達する傾斜面５１が形成されている。傾斜面５１を含む突出部は、用紙載置部６に形成された溝部５３に嵌合されている。
【００４０】
このように構成されたインクジェットプリンタ１および給紙部２によれば、実施の形態１に記載の効果と同様の効果を奏することができる。
【００４１】
なお、実施の形態では本発明による給紙装置をインクジェットプリンタに適用したが、レーザープリンタなどの各種プリンタまたは複写装置などに適用することも可能である。
【００４２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００４３】
【発明の効果】
以上説明したように、この発明に従えば、用紙をその紙幅にあった所定の位置に容易にセットすることができる給紙装置およびインクジェットプリンタを提供することができる。
【図面の簡単な説明】
【図１】この発明の実施の形態１におけるインクジェットプリンタを示す斜視図である。
【図２】図１中の用紙押えガイドを詳細に示す斜視図である。
【図３】図２中の矢印ＩＩＩに示す方向から見た用紙載置部および用紙押えガイドを示す上面図である。
【図４】図２中の矢印ＩＩＩに示す方向から見た用紙載置部および用紙押えガイドを示す別の上面図である。
【図５】図２中のＶ−Ｖ線上に沿った断面図である。
【図６】図１中のＶＩ線上に沿った断面図である。
【図７】この発明の実施の形態２における用紙押えガイドを詳細に示す斜視図である。
【図８】特許文献１に開示されている給紙装置を示す斜視図である。
【符号の説明】
１  インクジェットプリンタ、２  給紙部、６  用紙載置部、６ａ  上端部、７  基準面、８  用紙押えガイド、９  主表面、１０  ペーパーレスト、１１  用紙、２２，５１  傾斜面。
【図１】
0003630160.tif 000002
【図２】
0003630160.tif 000003
【図３】
0003630160.tif 000004
【図４】
0003630160.tif 000005
【図５】
0003630160.tif 000006
【図６】
0003630160.tif 000007
【図７】
0003630160.tif 000008
【図８】
0003630160.tif 000009